(57)【要約】【課題】  車庫内に於て、安全性を十分確保しながら狭いスペースを有効に活用出来る一方で手軽に設置して使用することが出来る、有用な車庫内の収納施設を提供する。【解決手段】  ガレージの床面に立設される架台１０であって各辺に渡された梁及び脚同士が夫々結合されて一体化された略直方体状の骨格を持つものと、この架台上に載置されるボックス部２０とを備えた収納庫１００であって、上記架台の高さがガレージ内に収容される自動車と干渉しない様自動車の全高等に応じて規定されており、上記架台の幅が上記ガレージ内に収容される自動車と干渉しない様自動車の全幅等に応じて規定されており、ガレージ内に入庫する上記自動車が一部架台内の空間内に進入した状態で駐車されても、架台と自動車の非接触状態が保持される様構成されていることを特徴とするものとする。【選択図】  図１
2006112192.tif 000002
【特許請求の範囲】
【請求項１】
屋内ガレージ等の内部に設置される収納庫であって、
ガレージの床面に立設される架台と、この架台上に載置及び固定される物品収納用のボックス部とを併せ備えており、
前記架台は、各辺に渡された梁及び脚同士が夫々結合されて一体化された、略直方体状の骨格を持つ構造体であり、
前記架台の高さが、前記ガレージ内に収容される自動車と干渉しない様前記自動車の全高、ボンネット高又はトランクリッド高の何れかに応じて規定されており、
前記架台の幅が、前記ガレージ内に収容される自動車と干渉しない様前記自動車の全幅又は設置される前記ガレージの相対する左右側壁間の間隔の何れかに応じて規定されており、
前記ガレージ内に入庫する前記自動車が一部前記架台内の空間内に進入した状態で駐車されても、前記架台と前記自動車の非接触状態が保持される様構成されていることを特徴とする収納庫。
【請求項２】
前記架台の後側の上下の梁の間において、垂直方向に延びる縦通材を、前記架台の幅方向に１本又は複数本備えると共に、前記縦通材の適宜高さから略水平方向にアームを１本又は複数本突出させ、前記アームに適宜物品を吊したり引っ掛けたりし得る様にしたことを特徴とする請求項１に記載の収納庫。
【請求項３】
前記架台上部の梁又は上面パネルから下方に向かって上向きコ字状のブラケットを架台幅方向に複数個突出させ、夫々の前記ブラケットを用いて所望の長尺物品を前記架台幅方向に適宜掛け渡して収納出来る様にしたことを特徴とする請求項１又は２に記載の収納庫。
【請求項４】
前記ボックス部の底面又は上面パネルの各コーナー部まわりに、前記底面又は上面パネル表面から上方又は下方に突出した外縁部を備えると共に、前記コーナー部の内側に、前記外縁部と同様に前記底面又は上面パネル表面から上方又は下方に突出する内側突出片を、前記外縁部の内側表面と離間して備え、
前記ボックス部の背面或いは両側面のパネルを夫々、前記底面又は上面パネルの各コーナー部における前記突出外縁部と前記内側突出片との間に挟み込む様に立設して形成した前記ボックス部を有することを特徴とする請求項１〜３の何れか１項に記載の収納庫。
【請求項５】
前記ボックス部の前記扉の全部又は一部にロック部が備えられていることを特徴とする請求項１〜４の何れか１項に記載の収納庫。
【発明の詳細な説明】
【技術分野】
【０００１】
本発明は、屋内ガレージ等の内部に設置される収納庫に関する。
【背景技術】
【０００２】
従来より、住宅建物におけるガレージとしては、住宅建物の一階部分にガレージを組み込んだいわゆるビルトイン（堀り込み）タイプのガレージが知られている。これは、正面にシャッターを設け、残り４面の壁（左右側壁、上壁及び背面壁）をコンクリートで固めたものである。現今の住宅事情により、このようなガレージでは、奥行が自動車の長さに比べて僅かしか大きくない等、駐車スペースの周囲にあまり余裕が設けられていないものが大半である。
【０００３】
ところで、大半のこうしたガレージ内には、居住者により、自動車以外に備品や工具類のほか、ゴルフ道具やレジャー用品等、種々のものが多数、物置代わりに所狭しと納められる。ところが、上記した寸法上の制約から、ガレージ内には十分な収容能力を持った専用の収納庫を床上に設置することが困難な場合が多く、結局、それらの荷物は床面に仕方なく置かれているのが現状である。
【０００４】
しかしながら、上記のように多くの物品が、専用の収納庫を用いずその儘ガレージの床面等に置かれている場合には、踏んだり、ぶつかったりして損傷させる懸念があるほか、自動車の出し入れに邪魔になったり、床上に置かれた物品が湿気等により傷んだり腐食したりするといった問題があった。
そのため、ガレージ内壁に、既成の吊り棚を取付ける様な改善策も種々試みられてはいるが、ガレージ内壁面に固定できるフレームがなかったり、有ってもフレームと吊り棚の枠等との取付位置が合わなくて取り付けが不可能である場合が多く、根本的な改善策とは言えないのが実情であった。
さらに、上記ガレージは、住宅建物の前面道路に面していて外部から覗き見し易いので、ガレージ内を物置として利用していると、住宅建物全体の見栄えが悪くなってしまうといった不都合を生じるほか、上記ガレージは構造上、外部から簡単に侵入され易く、それ故に備品の盗難等が絶えないという問題があった。
【０００５】
かかる事情を改善すべく、これまでにも種々の工夫がなされている。最近では、例えばコンクリート壁製ガレージ内にセダン型の自動車を入れるとボンネットやトランクルームの上方に未利用空間が出来る点に着目し、この上部空間を有効に利用すべく、車両を収納できる程度の高さを確保しながらガレージのコンクリート壁に後発的かつ付加的に棚を施工して作り付ける手法に関連した提案が特に多く行われている（特許文献１〜４）。
【０００６】
しかるに、従来知られた車庫内の収納施設は、その殆どが上記の通り棚等を直接ガレージ壁面に施工して作り付けるものであり、施工に手間や無駄な費用が掛かるという問題があった。又引っ越し等の際にこれを取り外して新たな居住地にて再使用する場合においても同様の問題が発生する。
さらに、棚板を保持するためにガレージ内壁から突出させたブラケットが、棚板上に置かれた物の荷重に耐え切れずに破断したり、或いはガレージ内壁から脱落した場合には、ガレージ内に物が散乱するのみならず、上から落下した物品によってガレージ内に収納されている自動車が傷付けられてしまうという問題があった。
それ故、現在までに種々案出されたこれらの収納施設は、居住者であるユーザーに敬遠され、結果として殆どの居住者のガレージ内には荷物が散乱し、車両の入庫スペースを侵蝕している現状の環境は何ら改善されない儘であった。
【特許文献１】特開２００１−５９３５０号公報
【特許文献２】特開平８−２５４０３９号公報
【特許文献３】特開平７−７１１１５号公報
【特許文献４】特開平７−３１５２２号公報
【発明の開示】
【発明が解決しようとする課題】
【０００７】
本発明は、上記の問題点を解決し、ガレージ内における車両の入庫スペースを侵蝕しない一方でガレージ内に散在していた種々の物品をすっきりと収納出来、車庫内の安全性を十分確保しながら狭いスペースを有効に活用できると共に、手軽に設置して使用することが出来る有用な車庫内の収納施設を提供することを課題とする。
【課題を解決するための手段】
【０００８】
上記課題を解決可能な本発明の屋内ガレージ設置型収納庫は、（１）屋内ガレージ等の内部に設置される収納庫であって、ガレージの床面に立設される架台と、この架台上に載置及び固定される物品収納用のボックス部とを併せ備えており、前記架台は、各辺に渡された梁及び脚同士が夫々結合されて一体化された、略直方体状の骨格を持つ構造体であり、前記架台の高さが、前記ガレージ内に収容される自動車と干渉しない様前記自動車の全高、ボンネット高又はトランクリッド高の何れかに応じて規定されており、前記架台の幅が、前記ガレージ内に収容される自動車と干渉しない様前記自動車の全幅又は設置される前記ガレージの相対する左右側壁間の間隔の何れかに応じて規定されており、前記ガレージ内に入庫する前記自動車が一部前記架台内の空間内に進入した状態で駐車されても、前記架台と前記自動車の非接触状態が保持される様構成されていることを特徴とするものである。
【０００９】
好ましくは、上記（１）の収納庫は、（２）前記架台の後側の上下の梁の間において垂直方向に延びる縦通材を、前記架台の幅方向に１本又は複数本備えると共に、前記縦通材の適宜高さから略水平方向にアームを１本又は複数本突出させ、前記アームに適宜物品を吊したり引っ掛けたりし得る様構成される。
【００１０】
更に好ましくは、上記（１）又は（２）の収納庫は、（３）前記架台上部の梁又は上面パネルから下方に向かって上向きコ字状のブラケットを架台幅方向に複数個突出させ、夫々の前記ブラケットを用いて所望の長尺物品を前記架台幅方向に適宜掛け渡して収納出来る様構成される。
【００１１】
その他、上記ボックス部は、（４）前記ボックス部の底面又は上面パネルの各コーナー部まわりに、前記底面又は上面パネル表面から上方又は下方に突出した外縁部を備えると共に、前記コーナー部の内側に、前記外縁部と同様に前記底面又は上面パネル表面から上方又は下方に突出する内側突出片を、前記外縁部の内側表面と離間して備え、前記ボックス部の背面或いは両側面のパネルを夫々、前記底面又は上面パネルの各コーナー部における前記突出外縁部と前記内側突出片との間に挟み込む様に立設して形成されていることが好ましい。
また、（５）ボックス部の前記扉の全部又は一部にロック部が備えられていればより好ましい。
【発明の効果】
【００１２】
本発明によれば、居住者の自宅等の屋内駐車場内にジャストフィットする収納庫が提供される。この屋内ガレージ設置型収納庫は、ガレージ内に収容される自動車と干渉しない高さと幅を有する架台上にボックス部が載置及び固定されたものであり、直接床面に設置出来るので、ガレージ内の安全性を確保しながら、狭いスペースを有効に活用することができる。例えばセダン型の自動車を車庫内に入れたとき、自動車のボンネットやトランクルームの上方に形成される空間が未利用空間として残るので、この未利用空間に収納庫を安全かつ確実に設置することが可能となる。
又収納庫を施錠可能に構成しておくことにより、備品の盗難を未然に防ぐことも可能となる。更に、本発明の屋内ガレージ設置型収納庫は、組み立ても簡単であり、設置に際しユーザーに多大な負担を掛けることも無い。
【発明を実施するための形態】
【００１３】
以下、本発明の屋内ガレージ設置型収納庫につき、添付図面に示される一実施例を用いて詳細に説明する。図１は本発明の屋内ガレージ設置型収納庫の一実施例を示す外観斜視図、図２は後記するボックス部を構成する各パネルの結合の仕方の一例を示す図、図３及び図４は設置状態の説明図、並びに図５は変形例を示す図である。
【００１４】
［構成］
図１において、参照符１００は屋内ガレージ内に設置される目的で製作された収納庫である。この収納庫１００は、ガレージの底面に立設される略直方体状の骨格を持つ架台１０と、この架台１０に載置及び固定されるボックス部２０とにより構成されている。上記架台１０及びボックス部２０を構成する材料としては、Ｌ型や、□型の軽量鋼材が好適に用いられ、溶接加工による接合の他、ボルトやネジによる接合により形状を形成することができる。以下、架台１０及びボックス部２０の構成を中心に、本実施例の収納庫１００の構成を詳細に説明する。
【００１５】
図１に示す通り、架台１０は、各辺に渡された梁及び脚同士が夫々結合されて一体化された、略直方体状の骨格を持つ構造体である。尚本実施例では、前側の下梁は省略されている。架台１０上部は、前後の上梁２ａ，２ｂと上側左右の側梁４ａ，５ａで囲まれた空間が上面パネル７で塞がれているほか、上側左右の側梁−前後の脚間（４ａ−１ａ，１ｂ間、及び５ａ−１ｃ，１ｄ間）、並びに後側の上梁２ｂ−左右の脚１ａ，１ｄ間には補強板９があてがわれている。この架台１０上部は、全体としてボックス部２０設置用のベース８を形成している。又架台１０下部には適宜補強材６が組み込まれている。
【００１６】
ここで、架台１０の幅は、ガレージ内に収容する車両の全幅以上のものであり、好ましくは設置されるガレージの寸法即ち相対する左右側壁間の間隔に応じて決定されるが、例えば内部に１台の自動車を完全に収容することが出来るガレージに設置する場合であれば、架台の幅は概ね２〜４ｍの間の寸法とされる。
架台の奥行き寸法は、ユーザーの要望するボックス部２０の収容能力（容積）に応じて決定されるが、概ね５０ｃｍ〜１ｍの間の寸法とされる。
架台高さは、ガレージ内に収容する車両のタイプ（セダン型やハッチバック型等）や入庫方向（前進駐車か、バック駐車か）に応じて決定されるが、ガレージ内に収容される自動車と干渉してしまわない様、概ね７０ｃｍ〜２ｍの間の寸法とされる。
架台上方に載置されるボックス部を含めた収納庫１００全体の高さは、設置されるガレージの高さに応じて決定されるが、概ね７０ｃｍ〜２ｍの間の寸法とされる。
【００１７】
次に、図１に示す通り、ボックス部２０は、架台１０上方に載置可能な寸法の略直方体状のものである。架台１０の上面パネル７とボックス部２０の底面パネル２５（参照符は図３のもの）との間は、ボルト留め、溶接、接着その他の手段を用いて、互いにずれたり移動したりすることがない様固定されている。
本実施例では、ボックス部２０は、架台１０の幅方向に３部屋が出来る様区分けされている他、図３に示す通り各部屋を上下２段に仕切ることが出来る様構成されている。
【００１８】
上記の通り、架台１０及びボックス部２０を構成する各部材は、Ｌ型や矩形その他の形状に予め形成された鋼材或いは金属製のシート又はパネル状の板材からなっている。又本実施例では、ボックス部２０の両側面及び正背面にメッシュ状のシートを適宜用いることにより、ボックス部２０の各収納室内の通気性を確保する構成とされている。一方、ボックス部の上及び底面は、平板状のパネルから構成されている。
【００１９】
ここで、ベース８上に載置及び固定されるボックス部２０に関しては、耐荷重の向上及び、災害時における倒壊防止を図るべく、例えば次の様な構成を用いることが好ましい。以下、図２を用いて説明する。
【００２０】
図２Ａは、ボックス部２０の底面パネル２５の一部を拡大して示した図である。図２Ａ中、垂直方向に延びる辺はボックス部２０の右側面に相当する辺４１であり、水平方向に延びる辺はボックス部２０の正面に相当する辺４２であって、両辺はコーナー部４３に於て略９０°の角度をなして接している。また、上記辺４１、及び辺４２のコーナー部４３まわりには、ボックス部２０の底面パネル２５の表面から上方に突出した外縁部４４が備えられている。さらに、コーナー部４３の内側には、外縁部４４と同じ態様で底面パネル２５の表面から上方に突出する内側突出片４５が、外縁部４４の内側表面とは離間して備えられている。
上で説明したコーナー部４３まわりの構成は、本実施例ではボックス部２０の上面と底面双方のパネルの少なくとも四隅に形成されている。
【００２１】
図２Ａに示す構成を利用して、本実施例のボックス部２０は、図２Ｂに示す通り、ボックス部の背面或いは両側面のパネルを、ボックス部の上面或いは底面のパネルのコーナー部４３における突出外縁部４４と内側突出片４５との間に挟み込む様にして立設する構成とされる。これにより、ボックス部２０を構成する各パネルは確実に結合される。又かかる構成とすることにより、ボックス部２０の耐荷重を向上することが出来ると共に、災害時におけるボックス部２０の倒壊を防止することが出来る。
【００２２】
［設置態様］
図３及び図４は、本実施例の収納庫１００の設置態様の説明図である。
本発明の屋内ガレージ設置型収納庫は、好ましくは、図３に示す様な屋内ガレージＧ内部の最奥部の背面壁ＢＷにぴたりと寄せたかたちで設置される。尚、図３に例示されるガレージＧは、住宅建物の一階部分に設けられるビルトイン（堀り込み）タイプのものである。このガレージＧは、正面に不図示のシャッターを設け、残り４面の壁（左右側壁ＳＷ１，ＳＷ２、上壁ＵＷ及び背面壁ＢＷ）をコンクリートで固めたものであって、一般的に奥行き約５．５ｍ、高さ約３ｍ、幅約３．５ｍ程度の大きさ（収容空間）を持つものである。
本実施例では、地震等で収納庫１００が転倒したり倒壊したりするのを防止するため、ボックス部２０上面−ガレージＧ上壁ＵＷ間に支柱２７が備えられている。このほか、架台１０下部の側梁４ｂ、５ｂには床面固定具２８（図１参照）が備えられており、架台１０を床ＬＷ表面に対して直接固定出来る様構成されている。
【００２３】
図３及び４に示す例では、収納庫１００は、架台１０の高さが、ガレージ内Ｇに収容される自動車Ｃと干渉しない様自動車Ｃの全高、ボンネット高又はトランクリッド高の何れかに応じて規定されており、架台１０の幅が、ガレージＧ内に収容される自動車Ｃと干渉しない様自動車Ｃの全幅、又は設置されるガレージＧの相対する左右側壁（ＳＷ１，ＳＷ２）間の間隔に応じて規定されており、入庫車両がガレージＧ内最奥部の背面壁ＢＷ一杯迄寄せて駐車されるにも拘わらず、架台１０及びボックス部２０を、ガレージＧ内最奥部の背面壁ＢＷに近接して設置出来る様構成されている（図４参照）。
かかる構成により、図４に示す通り、本実施例に係る収納庫１００は、ガレージＧ内に入庫する自動車Ｃが一部架台１０内の空間内に進入して駐車されることを許容している。
【００２４】
図３に示す通り、ボックス部２０の各収納室２１ａ〜２１ｃ内には、これまで床ＬＷに載置したり、ガレージＧの壁面（左右側壁ＳＷ１，ＳＷ２や背面壁ＢＷ）に立て掛けたりしていた様々な荷物Ｐ（クーラーボックスやボールのほか、バット等）を、適宜仕切り２４を使用して整理整頓しながら収めて保管しておくことが出来る。その他、各収納室２１ａ〜２１ｃ内には、ガレージＧ内に収める自動車Ｃの整備用品（工具、チェーン等）や補充品（オイル、クーラント等）を常備しておくことが出来るので、自動車の安全運行を図る上でも有用である。
【００２５】
［変形例］
以上、本発明の屋内ガレージ設置型収納庫を一実施例に基づき詳細に説明したが、本発明は上記の構成に限られず、種々の設計変更その他の変形が可能である。その一部を以下に列挙する。
【００２６】
１．  図５に示す通り、架台１０の幅方向におけるガレージＧ背面壁ＢＷ側の上下の梁（２ｂ，３）の間に、縦通材５０を垂直方向に設けた上、前記縦通材の適宜高さから略水平方向にアーム５１やフックを突出させ、これにタイヤＴ等、居住者のライフスタイルに合わせた種々のものを吊したり引っ掛けたりすることが可能な構成としても良い。尚、設置される縦通材５の数は、１本であっても複数本であっても良い。
【００２７】
２．  同様に、図５に示す通り、架台１０上部のベース８から下方に向かって、上向きコ字状のブラケット５２を架台幅方向に複数個突出させ、これらブラケット５２を使ってスキー、サーフボード又は物干し竿等の長尺物を架台１０幅方向に適宜掛け渡して収納しておける構成としても良い。
さらに、棚板を渡すことができるように、ガレージＧ内に収納される自動車Ｃの車高よりも高い位置であって、架台１０の上面パネル７から下方の位置に、上記ブラケット５２を架台幅方向に複数個突出させておけば、このブラケット５２に渡した棚板上を、追加の物置として使用することも可能である。従って、スキー用品、カー用品、掃除道具又は園芸用品等の屋内に収納し難いものを、散らかすことなくまとめて整理しておくこともできる。
上記１．及び２．の様な構成を上記実施例に係る収納庫１００に付加することにより、ガレージ内の狭いスペースをさらに有効に活用することが出来ると共に、ガレージ内の安全性をさらに高めることが出来る。
【００２８】
３．  ボックス部２０の高い所に対して荷物を容易に出し入れ出来る様、収納庫１００の前面に梯子を立て掛けることが出来る様構成しても良い。
【００２９】
４．  ボックス部２０は、必ずしも架台１０幅方向全てにわたって設置されている必要はなく、架台１０上方の一部に収納ボックスを載置すると共に、余った架台１０の上面パネル７の上に直接荷物を載置出来る様構成しても構わない。
【００３０】
５．  ボックス部２０の扉２２も必ずしも全ての収納室に取り付けられている必要はなく、一部の収納室だけに扉が取り付けられている構成としても構わない。
【００３１】
６．  上記実施例では、ボックス部２０の両側面及び正背面にメッシュ状のシートを適宜用いることにより、ボックス部２０の通気性を確保する構成としたが、上記各面の構成はこれに限られず、有色若しくは透明のプラスチックやガラス、或いは金属パネルで構成しても良い。
又架台１０及びボックス部２０を構成する各部材についても、収納庫１００の強度を十分に確保出来る材料から構成されるのであれば、材質は必ずしも金属である必要はなく、例えばプラスチック、ＦＲＰ、ＣＦＲＰ、又は木質系の板材等から形成しても構わない。
【００３２】
７．  上記実施例では、ボックス部２０の各扉２２には全てロック部２３が備えられている構成としたが（図１参照）、扉２２全部をロック部２３付きとする必要は無い。又扉２２の開き方も横ヒンジ型に限られず、上若しくは下ヒンジで開閉する構成として構わない。
【００３３】
８．  架台１０の両側面、背面又は底面の一部又は全部を、上面と同様にパネルで塞ぐ構成としても良い。
【００３４】
９．  ボックス部２０の工法に関しても、上記実施例に於て紹介したものに限られず、従来知られた種々の工法を利用して構わない。
【００３５】
１０．  ボックス部２０の各収納室を区分けするために用いる仕切り２４に関し、上記実施例では各収納室を上下２段に分ける構成を例示したが、仕切りを上下方向に複数段設けて収納室を上下２段以上に区分けする構成としても構わない。このとき、各仕切りは前方が若干高くなる様に構成した方が、各収納室内に納めた物品の落下が防げ安全である。
【００３６】
１１．  図３及び４に示す例では、ガレージＧの開口部から縦向けに自動車を入庫させるべく、収納庫１００はガレージＧ内最奥部の背面壁ＢＷに近接して設置されているが、自動車ＣがガレージＧの開口部に対して横向けに駐車される様なガレージの場合であれば、収納庫１００をガレージＧ内の左右側壁ＳＷ１又はＳＷ２の何れか一方に近接して設置しておけば良いことは、格別言うまでもない。その様な設置態様であっても、本発明の収納庫は、ガレージ内に入庫する自動車が一部架台内の空間内に進入した状態で駐車されることを許容する（図４参照）。
また、自動車ＣがガレージＧの開口部に対して横向けに駐車される様なガレージの場合であっても、架台１０の幅をガレージ内に入庫させる自動車Ｃの全長以上としておけば、収納庫１００をガレージＧ内最奥部の背面壁ＢＷに近接して設置しておくことが出来る。同様に、開口部から縦向けに自動車が入庫するガレージＧに、架台１０の幅をガレージ内に入庫させる自動車Ｃの全長以上とした収納庫１００をガレージＧ内の左右側壁ＳＷ１又はＳＷ２の何れか一方に近接して設置しても構わない。
【００３７】
以上に詳述した通り、本発明は、車両の入庫スペースを侵蝕することなしに、ガレージ内部の空き空間を有効に利用して多くの荷物を整理整頓しながら美しく収納及び保管することが出来ると共に、設置に手間の要らない収納庫を提供する、新規かつ極めて有用なる発明であることが明らかである。
【図面の簡単な説明】
【００３８】
【図１】本発明の屋内ガレージ設置型収納庫の一実施例を示す外観斜視図である。
【図２】ボックス部を構成する各パネルの結合の仕方の一例を示す図である。
【図３】設置態様の説明図である。
【図４】設置態様を説明する別の図である。
【図５】変形例を示す図である。
【符号の説明】
【００３９】
ＢＷ  背面壁
Ｃ  自動車
Ｇ  ガレージ
Ｌ  長尺物
ＬＷ  床
Ｐ  荷物
ＳＷ１，２  側壁
Ｔ  タイヤ
ＵＷ  上壁
１ａ〜ｄ  脚
２ａ，ｂ  上梁
３  下梁
４ａ，ｂ  側梁
５ａ，ｂ  側梁
６  補強材
７  上面パネル
８  ベース
９  補強板
１０  架台
２０  ボックス部
２１ａ〜ｃ  収納室
２２  扉
２３  ロック部
２４  仕切り
２５  底面パネル
２６  右側面パネル
２７  支柱
２８  床面固定具
４１，４２  辺
４３  コーナー部
４４  外縁部
４５  内側突出片
５０  縦通材
５１  アーム
５２  ブラケット
１００  屋内ガレージ設置型収納庫
【図１】
2006112192.tif 000003
【図２】
2006112192.tif 000004
【図３】
2006112192.tif 000005
【図４】
2006112192.tif 000006
【図５】
2006112192.tif 000007